(57)【特許請求の範囲】
【請求項１】
上下階に連通する排煙用開口を車路のスラブを貫通する状態に設けると共に、屋上のスラブにも前記車路の排煙用開口の上方に連通状態に排煙用開口を設け、前記各排煙用開口の配置を縦に揃えてある立体駐車場。
【請求項２】
各階において、特定の駐車領域を、当該特定の駐車領域と隣接する他の駐車領域から遮蔽するために操作自在な遮蔽機構を設け、前記特定の駐車領域と前記他の駐車領域とにそれぞれ前記排煙用開口が設けられている請求項１に記載の立体駐車場。
【請求項３】
前記遮蔽機構が、天井に設けた垂壁と、当該垂壁の下端部から床までの範囲に延出可能な遮蔽壁本体とからなる請求項２に記載の立体駐車場。
【発明の詳細な説明】
【０００１】
【発明の属する技術分野】
本発明は立体駐車場に関する。
【０００２】
【従来の技術】
この種の立体駐車場にあっては、建築基準法によって定められた床面積以下に防火区画を施し、万一の火災時には、高熱や火災による煙を有効に排気する必要がある。
従来の立体駐車場のうち、例えば小規模な立体駐車場においては、立体駐車場の外壁部の殆どを開放面とし、夫々の防火区画をこれらの開放面に接して設けることで上記基準を満たすことができた。
しかし、大面積の立体駐車場の場合、駐車場平面のうち中央部付近に位置する防火区画については必ずしも上記のような開放面を確保することができない。そのため、建築基準を満足させるべく、このような防火区画については、上方の外気に連通する開口シャフトを設けて自然通気路を確保したり、あるいは、駐車場の外方まで通じる排気ダクトを有する強制排気設備を設けるなどの手法で対処していた。
【０００３】
【発明が解決しようとする課題】
しかし、床面積の広い立体駐車場を建設する場合に、上記のごとく開口シャフトの設置を強いられることは、それだけ駐車領域が減少することとなる。
また、強制排気設備を設けたとしても、排煙機能をこれらの設備のみに負担させるには問題がある。つまり、万一の装置の故障、あるいは、停電等の不測の事態が生じた場合に、これらに対応できる設備が別途必要になるばかりでなく、永年に亘って装置の機能・信頼性を維持するには限界がある。
さらには、これら開口シャフトあるいは強制排気設備を備えることで建設コストが嵩むという不都合も生じる。
以上のごとく、従来の方式によって大面積の立体駐車場を建設する場合には、種々の不都合があって未だ改善の余地があった。
【０００４】
本発明の目的は、このような従来技術の欠点を解消し、良好な延焼防止機能および排煙機能を有する立体駐車場を提供することにある。
【０００５】
【課題を解決するための手段】
この目的を達成するための本発明の特徴構成を、図１から図３に示した例を参考に説明する。
（構成１）
本発明の立体駐車場は、請求項１に記載したごとく、上下階に連通する排煙用開口５を車路３のスラブを貫通する状態に設けると共に、屋上のスラブにも前記車路の排煙用開口の上方に連通状態に排煙用開口を設け、前記各排煙用開口の配置を縦に揃えてある構成とした点に特徴を有する。
（作用・効果）
本発明の立体駐車場は、主に、車路つまり、その階下の駐車領域にとっては天井部分に排煙用開口を設けただけであるから、極めて簡便な構成の立体駐車場を構築することができる。
また、火災によって発生する煙はその熱により上昇するが、本構成では、煙の上昇方向に排煙用開口を設けてあるから、煙の流れを損なうことなくスムーズな排煙が可能になる。よって、特別な排気ダクトや排気用の電動ファン等の設備を用いずとも、確実な排煙効果を発揮することができる。
そして、前述のごとく、大がかりな排煙設備等を設けないから、初期の設備コストあるいはその後の排気設備の維持管理費などが実質的に不要となって、経済的に有利な立体駐車場とすることができる。
【０００６】
本構成のごとく、屋上のスラブにも排煙用開口を設ければ、前記立体駐車場を一つの煙突とみなすことができる。つまり、立体駐車場内の温度に比べて外気の温度が低い場合、或いは、風が比較的強い場合には、前記立体駐車場内の煙は積極的に外部に引き出されるから、排煙効果をより高めることができる。
【０００７】
（構成２）
本発明の立体駐車場は、請求項２に記載したごとく、各階において、特定の駐車領域４を、当該特定の駐車領域４と隣接する他の駐車領域４から遮蔽するために、操作自在な遮蔽機構Ｓを設け、前記特定の駐車領域と前記他の駐車領域とにそれぞれ前記排煙用開口が設けられいてもよい。
（作用・効果）
上記のごとく、隣接する駐車領域どうしを遮断できれば、ある駐車領域で火災が発生した場合に、煙が、当該隣接する駐車領域に侵入するのを防止できる。
さらに、火災発生時に、火災が発生している駐車領域の直上方向に位置する夫々の階の駐車領域を、夫々隣接する駐車領域から遮蔽するように、各階の遮蔽機構を操作すれば、立体駐車場の内部において、前記火災が発生している駐車領域から上方に一つの独立した排煙路を構成することができる。つまり、火災による高温の煙は、この遮蔽された空間の内部に隔離され、外部の空気と比較して大きな浮力を有することとなる。このため、高温の煙はより大きな速度で上昇し、効率的に排煙される。
【０００８】
（構成３）
本発明の立体駐車場は、請求項３に記載したごとく、前記遮蔽機構Ｓを、スラブ６に設けた垂壁７と、当該垂壁７の下端部から床９までの範囲に延出可能な遮蔽壁本体８とで構成することができる。
（作用・効果）
このような構成の遮蔽機構であれば、前記遮蔽壁本体は、床面まで到達可能なものであることは勿論、床面から所定の間隔を残した位置に固定することもできる。よって、火災による煙が、隣接する駐車領域に侵入するのを確実に防止しながら、前記遮蔽壁本体の下端部と床面との隙間を避難路として確保することができる。
また、常時においては、前記遮蔽壁本体が天井の側に引退しているから、駐車場を利用する者の歩行の障害になることがない。また、駐車場内の見通しも良くなるから、利用者は自分の位置を容易に確認することができ、火災発生時には迅速に避難することができる。
【０００９】
尚、上記課題を解決するための手段の説明中、図面を参照し、図面との対照を便利にするために符号を記すが、当該記入により本発明が添付図面の構成に限定されるものではない。
【００１０】
【発明の実施の形態】
以下に本発明の実施例を図面に基づいて説明する。
【００１１】
（全体の構成）
本発明に係る立体駐車場１の平面図を図１に示す。
例えば、当該立体駐車場１の各階は、防火区画Ａと防火区画Ｂとの二つの防火区画を有する。立体駐車場１の外壁部は全て耐火性を有する壁２で構成されており、排煙機能を有する開口は設けられていないものとする。また、防火区画Ａと防火区画Ｂとの境界も、耐火性を有する壁２で仕切られているとする。図示は省略するが、当該中央の壁２に係る両端部の夫々と、当該両端部に近接する外周の壁２との間には、開閉自在な防火扉等が設けられている。
夫々の防火区画Ａ，Ｂには、図１中のＹ方向に沿って二本の車路３が設けられており、夫々の車路３の両側には駐車領域４を確保してある。そして、特定の階であって、その下階にも駐車領域４を有する場合には、当該特定階の車路３には、下階に連通する排煙用開口５が設けられている。
また、夫々の防火区画Ａ，Ｂにおいては、二本の車路３の中央位置に、これら車路３に沿った遮蔽機構Ｓを設けてあり、夫々の防火区画Ａ，Ｂをさらに二つの防煙区画に仕切ってあるものとする。例えば、防火区画Ａは、防煙区画Ａ１と防煙区画Ａ２とに仕切られる。
一方、本発明に係る立体駐車場１の側方断面図を図２に示す。
当該駐車場１は、屋上を含めて少なくとも三階分の駐車領域４を有する。図２は、屋上を含めた上方の三階部分を示している。本実施の形態においては、便宜上、これらの階を、Ｆ１階、Ｆ２階、Ｒ階とする。
【００１２】
（排煙用開口）
図１および図２に示すごとく、Ｆ１階、Ｆ２階、Ｒ階の夫々のスラブ６には、下階の空間に連通する排煙用開口５を設ける。当該排煙用開口５は、車路３の幅方向中央位置であって、車路３の延出方向に沿って散点状に設けてある。当該排煙用開口５は、主に、特定の場所で発生した車両火災による煙を上方に排出するのが目的である。そのためには、各階に設ける前記排煙用開口５どうしを上下方向に一致させると、排煙の流れがスムーズになり、排煙効率がより向上する。
また、排煙用開口５を、駐車領域４を除いた車路３に形成するのは、車両火災の発生時に、その直上に駐車してある他の車両に延焼するのを防止するためである。
前記排煙用開口５にはグレーチング等を取付ける。これにより、路面高さが均一となり、車両の通行が円滑となる。尚、前記排煙用開口５を設けていない部分は、コンクリート等を用いた通常のスラブ床である。
【００１３】
本発明の立体駐車場１においては、前記Ｒ階のスラブ６に対しても排煙用開口５を設ける。本構成にすれば、前記立体駐車場１の一部を一つの煙突とみなすことができ、以下のごとく車両火災による煙を効率的に排出することができる。
例えば、図２において、Ｆ１階の防煙区画Ａ１に係る領域を領域Ｚ１とし、Ｆ１階の防煙区画Ａ２に係る領域を領域Ｚ２とする。同様に、Ｆ２階、Ｒ階における対応する領域を領域Ｚ３、Ｚ４、Ｚ５、Ｚ６とする。今、領域Ｚ１で車両火災が発生した場合を想定すると、当該領域Ｚ１を含む上方の領域、即ち、領域Ｚ１、Ｚ３、Ｚ５が一つの煙突を構成すると考えられる。
火災による煙は高温のため大きな浮力を有しており、領域Ｚ１で発生した煙は、自然の煙突効果により上方に排出される。特に、煙の温度と外気の温度との差が大きい場合、あるいは、風が強い場合には、煙の排出が促進されて効率的な排煙が行われる。
このように、本発明の立体駐車場１であれば、火災によって発生した煙あるいは熱を、前記排煙用開口５を介して屋外へ自然排気することができる。よって、特別な排気ダクトや排気用の電動ファン等の設備が不要とせず、このような排気設備に完全に依存している場合に、当該排気設備の故障等により排気が不可能になるという不都合が生じ得ず、常に、一定の排気効果を得ることができる。しかも、初期の設備コストあるいはその後の排気設備の維持管理費などが実質的に不要であるから、経済面においても有利である。
【００１４】
（遮蔽機構）
前述のごとく、本発明の立体駐車場１は、良好な排煙性能等を有するが、以下のような遮蔽機構Ｓを設けることで、排煙機能あるいは防煙機能をさらに高めることができる。
前記遮蔽機構Ｓは、例えば、前記防煙区画Ａ１と前記防煙区画Ａ２との境界位置に設けるものとする。当該遮蔽機構Ｓは、図３に示すごとく、スラブ６に取付けた垂壁７と、当該垂壁７の下端部から床９まで延出可能な遮蔽壁本体８とからなる。前記垂壁７はスラブ６と一体に形成してもよいし、前記垂壁７として別途形成した部材を天井側の部材に取付けてもよい。前記遮蔽壁本体８は、通常は前記垂壁７の内部に格納されているシャッターや垂れ幕で構成するものとし、火災時においては床９にまで延出可能な構成とする。
仮に、前記領域Ｚ１で火災が発生した場合には、図示は省略するが、別途設けた火災検知器によって火災発生位置を認識し、制御機構によって前記領域Ｚ３と領域Ｚ４との境にある遮蔽機構Ｓ２については、前記遮蔽壁本体８を床９まで延出させ、前記領域Ｚ１と領域Ｚ２との境にある遮蔽機構Ｓ１については、前記遮蔽壁本体８は延出させないか、あるいは、床９から所定の距離だけ残して延出させるものとする。
このように夫々の遮蔽機構Ｓ１，Ｓ２を操作する結果、領域Ｚ６→Ｚ４→Ｚ２→Ｚ１→Ｚ３→Ｚ５の順に一つの自然排気経路が形成できる。つまり、火源１０の熱によって、前記領域Ｚ１およびＺ３の空気が高温となり、領域Ｚ２およびＺ４の空気よりも浮力が増大するから、領域Ｚ１，Ｚ３の空気は上方に排気される。その際、前記遮蔽機構Ｓ２は完全に遮蔽されているから、領域Ｚ２，Ｚ４を介して新鮮な空気が吸入され、前記立体駐車場１の内部には空気の自然流が発生する。
以上のごとく、ある階の特定領域で火災が発生した場合には、当該領域の垂直上方に位置する各階の防煙区画を、夫々隣接する防煙区画から遮蔽すると共に、、実際に火災が発生している防煙区画については、隣接する防煙区画との間で空気の流路を確保することで、火災による熱および煙を効率的に自然排出することができる。
【００１５】
〔実施例〕
上記においては、本発明に係る立体駐車場１が有する機能・効果について説明したが、以下には、実際に排煙用開口５の面積を決定する手法、および、そのような排煙用開口５を設けた立体駐車場１の排煙性能等についての検証例を示す。
【００１６】
（概要）
ここでは、図１および図２のうち、防火区画Ａのみからなり、かつ、Ｆ１階・Ｆ２階・Ｒ階の三フロアーのみを有する立体駐車場１について検討する。
当該立体駐車場１に係る柱・梁等の構造部材は耐火鋼を用いて構成するものとする。耐火鋼は、火災時に発生する熱に対して耐力の低下が少ないため、柱・梁等が露出している部分に対する耐火被覆を省略できる。耐火被覆が不要になれば、耐火被覆の吹付け作業そのものが不要になるばかりでなく、その後に径年変化によって耐火被覆剥がれ落ちることもないから、補修・清掃等のメンテナンスが不要となる。また、耐火被覆が露出する場合には美観性に劣るものとなるが、このような不都合は解消され、さらには、柱・梁等の露出した部分に直接塗装を施すことができて美観をより向上させることもできる。
【００１７】
（排煙用開口面積の決定手法）
耐火鋼を用いて立体駐車場１を構築する場合でも、高温の煙は、適切に外部に排出する必要がある。そのためには一定面積を有する防火区画Ａ毎に、排煙等のための一定面積の開口部を設ける必要がある。
一般的には、耐火鋼を用いた立体駐車場１の場合、一つの防火区画Ａを１５００ｍ2 以内に設定し、当該防火区画Ａ毎に以下の条件式を満足するような開口を設ける必要がある。当該式は、車両が発生させる燃焼熱等に基づいて決定された実験式である。
【００１８】
【数１】
0003580641.tif 000002
【００１９】
ただし、この式での開口は建物側面に設けた開口をいう。開口面積Ａは、建物側面に設けた開口の合計面積であり、開口高さＨは、前記開口の寸法のうち高さ方向の寸法をいう。
本実施例においては、まず、側方に開口を設けた場合の煙の流出特性を検証し、この結果と、本発明の実施形態であるスラブ６に排煙用開口５を設けた場合の煙の流出特性とを比較して、本発明に係る排煙用開口５の面積を決定する。
尚、本実施例においては、排煙機能に余裕を持たせる等の意味を含めて別途以下の式を条件式として用いる。
【００２０】
【数２】
0003580641.tif 000003
【００２１】
（Ｉ）式に適合した側部開口を有する空間のモデルを図４に示す。例えば、開口高さＨは天井高さＣＨに等しいものとし、この天井高さＣＨを本発明の立体駐車場１の天井高さである３.２５ｍと等しくとると、（Ｉ）式より、その開口幅は９.３ｍとなる。この形状の開口を有する場合に、当該空間内の煙がどのように排出されるかを以下の条件式により求める。
【００２２】
【数３】
0003580641.tif 000004
Ｍout     中性帯より上部から流出する煙の質量   (kg/sec)
Ｍin      中性帯より下部から流入する空気の質量 (kg/sec)
W         開口幅         (m)
ｇ        重力加速度     (9.8 m/sec2)
ρs       煙の密度       (≒ 353 / (Ts+273) kg/m3)
ρa       雰囲気の密度   (≒ 353 / (Ta+273) kg/m3)
Ts        煙の温度       (℃)
Ta        雰囲気の温度   (℃)
ＣＨ      天井高さ       (m)
Ｈc       中性帯高さ     (m)
【００２３】
上記のパラメーターのうち、特に中性帯高さＨc を変化させ、上記(II)式および(III) 式による煙の流出質量Ｍout と流入質量Ｍinとが等しくなる状態を求める。この中性帯高さＨc は、図５に示すごとく、前記流出質量Ｍout と前記流入質量Ｍinとが釣合った状態での、双方の煙の流れの境界位置の高さをいう。
ここで求まった煙の流出質量Ｍout および流入質量Ｍinは、従来の排煙に関する設計基準の一つであるから、本発明の立体駐車場１もこの値を満足する必要がある。
ただし、前述のごとく、ここで求めたＭout およびＭinは、側面のみに開口を有する空間についての算定値である。これに対して、本発明の立体駐車場１の空間は、スラブ６に排煙用開口５を有し、火災発生時には、遮蔽機構Ｓを操作して隣接する防煙区画から新鮮な空気を吸入しながら、上方の排煙用開口５より煙を排出するものである。
【００２４】
そこで、当該立体駐車場１の場合には、天井の排煙用開口５から質量Ｍout'の煙が流出し、側面の開口からは質量Ｍin' の煙が流入するものとして、特に質量Ｍout'と前述のＭout とが等しくなるような状態を求める。つまり、図２の領域Ｚ１で火災が発生し、ここから発生した煙が上方に排出されるとともに、隣接する領域Ｚ２から新鮮な空気が流入して排煙が行われる場合について検討する。
実際の火災発生時を想定して、当該領域Ｚ１をさらに具体的にモデル化したものを図６に示す。ここでは、床面から１.５ｍの高さの側部開口が存在するように前記遮蔽機構Ｓを操作した場合を想定する。つまり、上方の遮蔽部分は、領域Ｚ１で発生した煙が領域Ｚ２に侵入するのを防止し、下方の側部開口は、領域Ｚ２より新鮮な空気を流入させると共に、領域Ｚ１に位置する駐車場利用者が領域Ｚ２に避難するのを可能にする。
天井側のスラブ６に設けた排煙用開口５の面積をＡｘとし、天井高さＣＨを、前述の例と同じく３.２５ｍとする。
計算の詳細等は省略するが、上記(II)式および(III) 式に類似した条件式を用い、前記領域Ｚ１から排出される煙の質量Ｍout'が、先に算出した煙の質量Ｍout を上回る状態を求めた結果、領域Ｚ１の平面形状が、縦横夫々１６.２ｍ、４０.５ｍの場合には、排煙用開口５は１８ｍ2 以上の面積を有していればよいことがわかった。
【００２５】
（盛期火災性状予測）
次に、上記のごとく面積を決定した排煙用開口５を設けた立体駐車場１が、日本建築センターによる建築物の総合防火設計法に適合するか否かを計算により確認した。つまり、天井側のスラブ６に１８ｍ2 の排煙用開口５を有する前記領域Ｚ１で火災が発生した場合の火災経過時間と火災室温度との関係をシミュレーションし、この結果を、前記（Ｉ）式に該当するモデルに係る火災経過時間と火災室温度との関係と比較した。
当該モデルの場合、図８に示したごとく、火災発生から３０分間は、火災室内の温度が約３００度に維持できることがわかる。この結果は、前記（Ｉ）式のモデルによる結果と殆ど同じであり、本発明の立体駐車場１は、従来からのモデルと同等の盛期火災性状を有することが確認できた。
また、耐火鋼の火災時の耐力については、６００度で一定時間保持した場合の耐力低下等で評価されるが、上記のごとく、火災室内の温度が約３００度に維持できることを鑑みれば、耐火鋼製の柱・梁にもそれほど影響を及ぼすものではないと考えられる。
【００２６】
（２層ゾーンシミュレーション）
さらに、実際の火災時に、排煙がどのように行われるかを検証するために、当該立体駐車場１について２層ゾーンシミュレーションを行った。
ここでも、図２の領域Ｚ１において火災が発生したと仮定する。また、前記遮蔽機構Ｓの条件として、Ｆ１階の垂壁７の下端部の高さは前記流出質量Ｍout を決定する場合と同様に１.５ｍとし、Ｆ２階の垂壁７については床面まで延出させるものとする。
このモデルにより、夫々の領域Ｚ１、Ｚ２、Ｚ３、Ｚ４における火災経過時間と煙層下端高さとの関係、および、火災経過時間と煙の温度との関係を予測することで、前記スラブ６に前記排煙用開口５を設けたことによる排煙性能を検証する。
シミュレーションに際して、火源１０は、排気量１５００cc程度の乗用車を想定した。当該火源１０は、発熱速度および面積が経時変化するものとし、夫々、出火から１０分間は時間に比例して増大し、１０分後にピーク値に達し、その後一定状態を維持するものとする。ピーク時の発熱速度は２８５９ｋｗとし、同じくピーク時の火源面積は３.３ｍ2 とした。
【００２７】
シミュレーションの結果のうち火災経過時間と煙層下端高さとの関係を図９に示す。
この結果、煙層下端高さについては、領域Ｚ２およびＺ４には、煙が一切侵入しないことがわかる。
領域Ｚ１では、煙層下端は、火災発生から約１０分後に１.８ｍ程度まで下降する。ただし、避難時に安全な煙層下端高さの許容条件を、領域Ｚ３に居る人が火災発生から避難を完了するまでの時間である１２０秒経過後の煙層下端高さが（１.６＋０.１ＣＨ）ｍ以上、即ち、この場合には１.９ｍ以上であれば良いとすると、領域Ｚ１についての前記煙層下端高さは上記条件を十分に満足している。
領域Ｚ３については、火災発生場所の直上位置にあるため最も過酷な条件となるが、前記煙層下端高さの条件を満足していることがわかる。
【００２８】
一方、火災経過時間と煙層温度との関係を図１０に示す。
上記のごとく、領域Ｚ２およびＺ４に煙は一切侵入しないから、この領域Ｚ２およびＺ４では常温状態が維持される。
領域Ｚ３については、火災発生から１２０秒経過後の煙層温度は４０.６度であり、避難することが十分可能な温度に留まっている。
領域Ｚ１については、火災発生から１２０秒経過後に煙の温度は約８０度程度にまで上昇しているが、図９より明らかなごとく、この時の煙層下端高さは約２.５ｍである。よって、床面側においては未だ低温が維持されていると予測でき、避難するのに特に支障はないと考えられる。
以上の結果から、所定の面積を有する排煙用開口５をスラブ６に設ければ、何れの領域Ｚ１、Ｚ２、Ｚ３、Ｚ４においても避難経路あるいは避難時間を確保でき、所定の延焼防止機能および排煙性能を発揮させ得ることが確認できた。
さらに、排煙用開口５の面積などを適宜設定することで、一つの防火区画の面積を１５００ｍ2 以下に制限している現状の設計による立体駐車場１に比べて、より排煙機能等に優れた立体駐車場１の設計が可能になると考えられる。
【図面の簡単な説明】
【図１】本発明の立体駐車場の平面を示す説明図
【図２】本発明の立体駐車場の側面を示す説明図
【図３】遮蔽機構を示す縦断面図
【図４】煙の流出質量を演算するための一般モデル図
【図５】一般モデルにおける煙の流れ状態を示す説明図
【図６】煙の流出質量を演算するための本発明に係るモデル図
【図７】本発明のモデルにおける煙の流れ状態を示す説明図
【図８】本発明のモデルにおける盛期火災性状の予測結果を示す説明図
【図９】本発明のモデルにおける２層ゾーンシミュレーションの結果を示す説明図
【図１０】本発明のモデルにおける２層ゾーンシミュレーションの結果を示す説明図
【符号の説明】
３    車路
４    駐車領域
５    排煙用開口
６    スラブ
７    垂壁
８    遮蔽壁本体
Ｓ    遮蔽機構
【図１】
0003580641.tif 000005
【図２】
0003580641.tif 000006
【図３】
0003580641.tif 000007
【図４】
0003580641.tif 000008
【図５】
0003580641.tif 000009
【図６】
0003580641.tif 000010
【図７】
0003580641.tif 000011
【図８】
0003580641.tif 000012
【図９】
0003580641.tif 000013
【図１０】
0003580641.tif 000014